(57)【要約】【課題】使用できなくなったリモコン（操作機器）によって遠隔操作されていた設備機器を適切かつ個別に制御する。【解決手段】設備制御装置２０は、複数のリモコン１０ａ，１０ｂそれぞれに所定の要求を行い、リモコン１０ａ，１０ｂからの応答の有無に従ってリモコン１０ａ，１０ｂが使用できるか否かを判別する機器判別部２１ａ、使用できると判別されたリモコン１０ａを代替機器として選択する代替機器選択部２１ｂ、代替機器として選択されたリモコン１０ｂに対して、機器判別部２１ａにより使用できないと判別されたリモコン１０ｂに対応する操作対象機器を操作するための基本情報を送信する送信制御部２１ｃを備える。【選択図】図７
2014155115.tif 000002
【特許請求の範囲】
【請求項１】
所定のネットワークに接続する複数の操作機器と通信を行う通信手段と、
前記通信手段を介して前記複数の操作機器それぞれに所定の要求を行い、前記操作機器からの応答の有無に従って当該操作機器が使用できるか否かを判別する機器判別手段と、
前記機器判別手段により使用できると判別された操作機器の中から、一の操作機器を代替機器として選択する代替機器選択手段と、
前記代替機器として選択された操作機器に対して、前記機器判別手段により使用できないと判別された操作機器に対応する操作対象機器を操作するための基本情報を送信する送信制御手段と、を備える、
ことを特徴とする設備制御装置。
【請求項２】
前記代替機器から前記基本情報を含まない特殊情報を受信し、受信した前記特殊情報を前記代替機器と対応付けてメモリに記録する受信制御手段を備える、
ことを特徴とする請求項１に記載の設備制御装置。
【請求項３】
前記代替機器との通信に基づいて前記代替機器の設定を解除する解除制御手段を備え、
前記受信制御手段は、前記代替機器の設定が解除されるときの、前記機器判別手段により使用できないと判別された操作機器に対応する前記基本情報を受信し、受信した前記基本情報を、前記使用できないと判別された操作機器と対応付けてメモリに記録し、
前記送信制御手段は、前記代替機器に対応する前記特殊情報を前記代替機器に送信する、
ことを特徴とする請求項２に記載の設備制御装置。
【請求項４】
前記送信制御手段は、前記解除制御手段によって前記代替機器の設定が解除された後、前記使用できないと判別された操作機器が使用できるようになったか否かを判別し、使用できるようになったと判別された操作機器に、対応する前記基本情報を送信する、
ことを特徴とする請求項３に記載の設備制御装置。
【請求項５】
操作対象機器を遠隔操作するための複数の操作機器と、前記操作機器との通信に基づいて前記操作機器を制御する設備制御装置とを備えた設備制御システムであって、
前記設備制御装置は、
所定のネットワークに接続する複数の操作機器と通信を行う通信手段と、
前記通信手段を介して前記複数の操作機器それぞれに所定の要求を行い、前記操作機器からの応答の有無に従って当該操作機器が使用できるか否かを判別する機器判別手段と、
前記機器判別手段により使用できると判別された操作機器の中から、一の操作機器を代替機器として選択する代替機器選択手段と、
前記代替機器として選択された操作機器に対して、前記機器判別手段により使用できないと判別された操作機器に対応する操作対象機器を操作するための基本情報を送信する送信制御手段と、を備え、
前記操作機器は、
前記設備制御装置との通信に基づいて、自機を前記代替機器として設定する代替機器設定手段と、
前記設備制御装置から前記基本情報を受信し、受信した前記基本情報をメモリに記録する基本情報受信手段と、を備える、
ことを特徴とする設備制御システム。
【請求項６】
前記設備制御装置は、
前記代替機器から前記基本情報を含まない特殊情報を受信し、受信した前記特殊情報を前記代替機器と対応付けてメモリに記録する受信制御手段を備え、
前記操作機器は、
自機が前記代替機器として設定された場合に、前記メモリの所定領域に記録された前記特殊情報を前記設備制御装置に送信する特殊情報送信手段を備え、
前記基本情報受信手段は、前記特殊情報が記録されていた前記所定領域に、受信した前記基本情報を記録する、
ことを特徴とする請求項５に記載の設備制御システム。
【請求項７】
前記設備制御装置は、
前記代替機器との通信に基づいて前記代替機器の設定を解除する解除制御手段を備え、
前記受信制御手段は、前記代替機器の設定が解除されるときの、前記機器判別手段により使用できないと判別された操作機器に対応する前記基本情報を受信し、受信した前記基本情報を、前記使用できないと判別された操作機器と対応付けてメモリに記録し、
前記送信制御手段は、前記代替機器に対応する前記特殊情報を前記代替機器に送信し、
前記操作機器は、
前記設備制御装置との通信に基づいて前記代替機器の設定を解除する代替機器解除手段と、
前記代替機器の設定が解除されるときの、前記メモリの所定領域に記録された前記使用できないと判別された操作機器に対応する前記基本情報を、前記設備制御装置に送信する基本情報送信手段と、
前記設備制御装置から前記特殊情報を受信し、受信した前記特殊情報を前記所定領域に記録する特殊情報受信手段と、を備える、
ことを特徴とする請求項６に記載の設備制御システム。
【請求項８】
所定のネットワークに接続する複数の操作機器それぞれに所定の要求を行い、前記操作機器からの応答の有無に従って当該操作機器が使用できるか否かを判別する機器判別ステップと、
前記機器判別ステップで使用できると判別された操作機器の中から、一の操作機器を代替機器として選択する代替機器選択ステップと、
前記代替機器として選択された操作機器に対して、前記機器判別ステップで使用できないと判別された操作機器に対応する操作対象機器を操作するための基本情報を送信する送信ステップと、を有する、
ことを特徴とする設備制御方法。
【請求項９】
コンピュータを、
所定のネットワークに接続する複数の操作機器と通信を行う通信手段、
前記通信手段を介して前記複数の操作機器それぞれに所定の要求を行い、前記操作機器からの応答の有無に従って当該操作機器が使用できるか否かを判別する機器判別手段、
前記機器判別手段により使用できると判別された操作機器の中から、一の操作機器を代替機器として選択する代替機器選択手段、
前記代替機器として選択された操作機器に対して、前記機器判別手段により使用できないと判別された操作機器に対応する操作対象機器を操作するための基本情報を送信する送信制御手段、として機能させる、
ことを特徴とするプログラム。
【発明の詳細な説明】
【技術分野】
【０００１】
本発明は、設備制御装置、設備制御システム、設備制御方法及びプログラムに関する。
【背景技術】
【０００２】
空調機器と有線接続されたワイヤード式のリモートコントローラ（以下、リモコンという）が故障等の原因で使用できなくなった場合でも、空調機器を継続的に制御するための技術が例えば特許文献１及び２に開示されている。
【０００３】
特許文献１には、空調機器をリモコンと有線接続する他、複数の空調機器を集中的に管理するセンタリモコンと有線接続するシステムが開示されている。このシステムにおいて、空調機器は、リモコンが使用できなくなったと判別したときに、センタリモコンからの遠隔操作を受け付けられるように設定を変更する。
【０００４】
また、特許文献２には、空調機器を、リモコンと有線接続する他、隣り合う空調機器と有線接続するシステムが開示されている。このシステムにおいて、空調機器は、リモコンが使用できなくなったと判別したときに、互いに接続された他の空調機器の動作情報を受信し、受信した動作情報に基づいて本体の動作を制御する。
【先行技術文献】
【特許文献】
【０００５】
【特許文献１】特開平５−２６４９５号公報
【特許文献２】特開２０１１−１３３１４５号公報
【発明の概要】
【発明が解決しようとする課題】
【０００６】
しかしながら、特許文献１に開示されたシステムでは、センタリモコンは、空調機器から離れた場所に設置されるため、ユーザは、センタリモコンが設置された場所において、空調機器が設置された場所の環境状況を正確に把握することが難しく、センタリモコンによって空調機器を適切に制御することが難しい、という問題があった。また、特許文献２に開示されたシステムにおいて、リモコンが使用できなくなったときには、空調機器を個別に制御できない、という問題があった。
【０００７】
本発明は、このような問題を解決するためのものであり、使用できなくなったリモコン（操作機器）によって遠隔操作されていた設備機器を適切かつ個別に制御する、設備制御装置、設備制御システム、設備制御方法及びプログラムを提供することを目的とする。
【課題を解決するための手段】
【０００８】
本発明に係る設備制御装置は、
所定のネットワークに接続する複数の操作機器と通信を行う通信手段と、
前記通信手段を介して前記複数の操作機器それぞれに所定の要求を行い、前記操作機器からの応答の有無に従って当該操作機器が使用できるか否かを判別する機器判別手段と、
前記機器判別手段により使用できると判別された操作機器の中から、一の操作機器を代替機器として選択する代替機器選択手段と、
前記代替機器として選択された操作機器に対して、前記機器判別手段により使用できないと判別された操作機器に対応する操作対象機器を操作するための基本情報を送信する送信制御手段と、を備える、
ことを特徴とする。
【発明の効果】
【０００９】
本発明によれば、使用できなくなった操作機器によって遠隔操作されていた設備機器を適切かつ個別に制御することができる。
【図面の簡単な説明】
【００１０】
【図１】本発明の実施形態に係る設備制御システムの構成を示す図である。
【図２】通常動作時のリモコンに表示される画面の例を示す図である。
【図３】代替機器として設定されたリモコンに表示される画面の例を示す図である。
【図４】図１に示したリモコンの構成を示すブロック図である。
【図５】通常動作時のデバイスメモリの構成を示す図である。
【図６】代替機器として設定されたときのデバイスメモリの構成を示す図である。
【図７】図１に示した設備制御装置の構成を示すブロック図である。
【図８】デバイスメモリ群の構成を示す図である。
【図９】接続機器情報の構成を示す図である。
【図１０】リモコン及び設備制御装置の動作を説明するためのフローチャートである。
【図１１】図１０に示した代替機器設定処理を説明するためのフローチャートである。
【図１２】図１０に示した代替機器解除処理を説明するためのフローチャートである。
【図１３】（Ａ）は、特殊情報を送信（退避）する処理を説明するための図である。（Ｂ）は、使用できなくなったリモコンの基本情報を送信する処理を説明するための図である。
【図１４】（Ａ）は、代替機器の設定が解除されるときの、使用できなくなったリモコンの基本情報を送信する処理を説明するための図である。（Ｂ）は、特殊情報を送信（復元）する処理を説明するための図である。（Ｃ）は、使用できるようになったリモコンに対応するデバイスメモリに含まれる情報を送信する処理を説明するための図である。
【図１５】ユーザの操作に従って代替機器を設定する場合のリモコンに表示される画面の例を示す図である。
【発明を実施するための形態】
【００１１】
以下、本発明の実施の形態について図面を参照して説明する。
【００１２】
はじめに図１を参照して設備制御システム１の概要を説明する。設備制御システム１は、例えばオフィスビルや商業施設等の建造物を対象とし、建造物のフロアや部屋に設置された各種設備機器を制御するためのシステムである。なお、ここでは、設備機器の一例として、空調機器Ａ１〜Ａ５、照明機器Ｌ１〜Ｌ４を説明する。空調機器Ａ１〜Ａ４は、例えばＶＡＶ（Variable Air Volume：可変風量装置）であり、空調機器Ａ５はＡＨＵ（Air Harmonized Unit：空気調和装置）である。空調機器Ａ５は、空調機器Ａ１〜Ａ４とダクトＤを介して接続され、空調機器Ａ５から送気される調和空気は、ダクトＤを介して各空調機器Ａ１〜Ａ４に送気される。また、照明機器Ｌ１〜Ｌ４は、ＬＥＤ電球や白熱灯等である。
【００１３】
設備制御システム１は、リモートコントローラ１０ａ，１０ｂ（以下、リモコンという）と、設備制御装置２０とを備える。設備制御システム１において、設備制御装置２０は、リモコン１０ａ，１０ｂ、空調機器Ａ１〜Ａ５、照明機器Ｌ１〜Ｌ４とポーリング通信を行う。つまり設備制御装置２０はマスタ装置として機能し、リモコン１０ａ，１０ｂ、空調機器Ａ１〜Ａ５、照明機器Ｌ１〜Ｌ４は、設備制御装置２０のスレーブ機器として機能する。
【００１４】
リモコン１０ａは、エリアＡにおいて設置された空調機器Ａ１，Ａ２、照明機器Ｌ１，Ｌ２を操作対象とする。例えば、図２に示すように、リモコン１０ａの表示部１４には、操作対象の動作を設定するための画面が表示され、表示部１４の画面上に備えられた操作部１３の位置においてユーザの操作を受け付ける。ユーザは、リモコン１０ａの表示部１４に表示された画面を確認するとともに、操作対象の動作を設定するための操作を行う。
【００１５】
ユーザの操作に従ってリモコン１０ａに設定された情報は、リモコン１０ａから設備制御装置２０に送信され、設備制御装置２０は、リモコン１０ａから受信した情報に基づいて、対応する機器（空調機器Ａ１，Ａ２、照明機器Ｌ１，Ｌ２）を制御する。
【００１６】
一方、リモコン１０ｂは、エリアＢにおいて設置された空調機器Ａ３，Ａ４、照明機器Ｌ３，Ｌ４を操作対象としているが、図１に示すように、リモコン１０ｂが何らかの原因で使用できなくなった場合、リモコン１０ｂによって、空調機器Ａ３，Ａ４、照明機器Ｌ３，Ｌ４の動作を設定することができない。
【００１７】
このような場合において、設備制御装置２０は、リモコン１０ａとの通信に基づいて、リモコン１０ａをリモコン１０ｂの代替機器として設定するための処理を行う。これにより、例えば、図３に示すように、リモコン１０ａの表示部１４には、リモコン１０ａの操作対象である各種機器だけでなく、使用できなくなったリモコン１０ｂの操作対象である空調機器Ａ３，Ａ４、照明機器Ｌ３，Ｌ４の動作を設定するための画面が表示される。
【００１８】
このように、設備制御システム１は、リモコン１０ｂが使用できなくなった場合でも、リモコン１０ｂによって操作対象となっていた各種機器の動作を、代替機器として設定されたリモコン１０ａによって適切かつ個別に設定できるものである。
【００１９】
なお、図１においてリモコン１０ａ，１０ｂ、及び空調機器Ａ１〜Ａ５は、空調ネットワークＡＮを介して設備制御装置２０と接続される。また、照明機器Ｌ１〜Ｌ４は、照明ネットワークＬＮを介して設備制御装置２０と接続される。空調ネットワークＡＮ、照明ネットワークＬＮは、例えばフィールドバスから構成され、当該ネットワークへの接続は有線および無線の何れでも良い。
【００２０】
また、空調機器Ａ５は、リモコン１０ａ，１０ｂの操作対象とされていない。空調機器Ａ５は、例えば、設備制御装置２０が空調機器Ａ１〜Ａ４や照明機器Ｌ１〜Ｌ４から受信する動作情報（電源のオン／オフ等）や環境情報（温度、照度、エネルギー使用量等）に基づいて、設備制御装置２０によって制御される。
【００２１】
また、設備制御装置２０は、管理ネットワークＣＮを介して集中管理装置Ｃと接続される。集中管理装置Ｃは、設備制御システム１の上位システムを構成する装置であり、複数の建造物に設置された各種設備機器を集中的に管理するためのものである。設備制御装置２０は、集中管理装置Ｃから受信した情報に基づいて各種設備機器を制御する。一方、設備制御装置２０は、集中管理装置Ｃからの要求に基づいて、設備制御装置２０に記憶されている各種設備機器に関する情報等を集中管理装置Ｃに送信する。なお、管理ネットワークＣＮは、例えばインターネット、ＬＡＮ（Local Area Network）、ＷＡＮ（Wide Area Network）等から構成され、当該ネットワークへの接続は有線および無線の何れでも良い。
【００２２】
次に、図４を参照して、図１に示したリモコン１０ａ，１０ｂ（以下、リモコン１０という）の構成を説明する。
【００２３】
リモコン１０は、制御部１１と、記憶部１２と、操作部１３と、表示部１４と、通信部１５とを備える。
【００２４】
操作部１３及び表示部１４は、例えばタッチパネルから構成される。表示部１４の画面上に配置される操作部１３は、各種操作ボタン等の入力インタフェースから構成され、ユーザの各種操作を受け付ける。また、操作部１３は、ユーザの操作に対応する操作信号を制御部１１に供給する。具体的には、図２及び図３に示したように、操作部１３は、操作対象である空調機器Ａ１，Ａ２の電源や温度、照明機器Ｌ１，Ｌ２の電源や明るさ（調光レベル）等の設定操作を受け付ける。
【００２５】
表示部１４は、例えば、液晶表示装置、有機ＥＬ(Electro Luminescence)表示装置等から構成される。表示部１４は、制御部１１の制御のもと、制御部１１から供給される各種画像データに基づいて、これに対応する各種画像を画面に表示する。具体的には、図２に示したように、表示部１４は、空調機器Ａ１，Ａ２の電源や温度を設定するための画像、照明機器Ｌ１，Ｌ２の電源や明るさを設定するための画像等を表示する。
【００２６】
通信部１５は、例えば、ネットワークアダプタ等の通信インタフェース装置から構成される。通信部１５は、制御部１１の制御のもと、設備制御装置２０からの要求に応じて各種情報を送信または受信する。
【００２７】
記憶部１２は、例えば、ＨＤＤ（Hard disk drive）、ＲＯＭ（Read Only Memory）、フラッシュメモリ等の記憶装置から構成される。記憶部１２は、制御部１１が各種処理を行うために使用する各種プログラム及びデータ、制御部１１が各種処理を行うことにより生成又は取得した各種データを記憶する。
【００２８】
また、記憶部１２は、デバイスメモリ１２ａ、スレーブプログラム１２ｂを記憶する。
【００２９】
デバイスメモリ１２ａは、例えば図５に示すように、リモコン１０において扱われる情報毎に、メモリアドレス、値（データ）、参照メモリアドレスからなるメモリデータを有する。メモリアドレスは、デバイスメモリ１２ａをメモリ空間にマッピングしたときのメモリ空間の物理的位置を表し、これによりリモコン１０において扱われる情報が識別される。また、値は、メモリアドレスに対応する情報の内容を表し、ユーザの操作または設備制御装置２０からの書込要求に従って更新される。また、参照メモリアドレスは、メモリアドレスに対応する操作対象機器のメモリアドレスであり、操作対象機器において扱われる情報を識別させるためのものである。
【００３０】
また、デバイスメモリ１２ａにおいて、リモコン１０において扱われる基本的な操作を行うための情報（基本情報）は、メモリ空間の第１の記憶領域を表すメモリアドレス（ａ０００〜ａ０＊＊）に割り当てられている。基本情報には、操作対象機器である空調機器の電源、温度等を設定するための情報、代替機器の設定及び解除を行うための情報、使用不可状態のリモコンの機器アドレス情報等がある。
【００３１】
また、デバイスメモリ１２ａにおいて、リモコン１０において使用頻度が比較的少ない（必要性の低い）、機能制限されても通常操作に支障が生じない情報（特殊情報）は、メモリ空間の第２の記憶領域を表すメモリアドレス（ａ１００〜ａ１４９）に割り当てられている。特殊情報には、操作対象機器の動作をシーン別に設定する情報、自機において禁止されている操作情報、操作対象機器の電源をオンまたはオフにする時刻等のユーザによって設定された情報等がある。
【００３２】
さらに、デバイスメモリ１２ａの特殊情報は、自機が、使用できなくなった他のリモコン１０（図１に示したリモコン１０ｂ）の代替機器として設定された場合に、設備制御装置２０に退避され、図６に示すように、使用できなくなった他のリモコン１０の基本情報と置き換えられる。また、この場合に、使用できなくなった他のリモコン１０の基本情報に割り当てられたメモリアドレス（メモリ空間の第１の記憶領域を表すメモリアドレス）は代替アドレスとして、特殊情報に割り当てられたメモリアドレス（メモリ空間の第２の記憶領域を表すメモリアドレス）と対応付けられる。
【００３３】
図４に戻り、スレーブプログラム１２ｂは、設備制御装置２０との通信に基づいて、自機を、使用できなくなったリモコン１０の代替機器として設定するためのプログラムである。
【００３４】
制御部１１は、例えば、ＣＰＵ(Central Processing Unit)、ＣＰＵのメインメモリとして機能するＲＡＭ（Random Access Memory）等を備える。なお、制御部１１は、一部がＡＳＩＣ（Application Specific Integrated Circuit）等の専用回路から構成されてもよい。また、制御部１１は、リモコン１０全体を制御する。
【００３５】
また、制御部１１は、スレーブプログラム１２ｂを実行することにより、代替機器設定部１１ａ、特殊情報送信部１１ｂ、基本情報受信部１１ｃ、代替機器解除部１１ｄ、基本情報送信部１１ｅ、特殊情報受信部１１ｆとして機能し、各部１１ａ〜１１ｆは、後述の各種処理を行う。
【００３６】
つづいて、図７を参照して、図１に示した設備制御装置２０（マスタ装置）の構成を説明する。
【００３７】
設備制御装置２０は、制御部２１と、記憶部２２と、通信部２３とを備える。
【００３８】
通信部２３は、例えば、ネットワークアダプタ等の通信インタフェース装置から構成される。通信部２３は、制御部２１の制御のもと、空調ネットワークＡＮを介して空調機器Ａ１〜Ａ４及びリモコン１０ａ，１０ｂと通信を行う。また、通信部２３は、制御部２１の制御のもと、照明ネットワークＬＮを介して照明機器Ｌ１〜Ｌ４と通信を行う。さらに、通信部２３は、制御部１１の制御のもと、管理ネットワークＣＮを介して集中管理装置Ｃと通信を行う。
【００３９】
記憶部２２は、例えば、ＨＤＤ、ＲＯＭ、フラッシュメモリ等の記憶装置から構成される。記憶部２２は、制御部２１が各種処理を行うために使用する各種プログラム及びデータ、制御部２１が各種処理を行うことにより生成又は取得した各種データを記憶する。
【００４０】
また、記憶部２２は、デバイスメモリ群２２ａ、接続機器情報２２ｂ、マスタプログラム２２ｃを記憶する。
【００４１】
デバイスメモリ群２２ａは、例えば図８に示すように、設備制御装置２０に接続された機器毎に、機器アドレスと、それぞれに対応するデバイスメモリとから構成されるデータを有する。機器アドレスは、機器（リモコン１０ａ，１０ｂ、空調機器Ａ１〜Ａ４、照明機器Ｌ１〜Ｌ４）をネットワーク上で識別するためのアドレス情報である。各デバイスメモリが有する各メモリデータは、設備制御装置２０からの要求に従って応答される各種機器からの読出応答または集中管理装置Ｃからの書込要求に従って更新される。
【００４２】
接続機器情報２２ｂは、例えば図９に示すように、設備制御装置２０に接続された機器毎に、機器アドレス、機器種別、使用状態、機器の設置エリア及び周辺エリア等からなる機器データを有する。使用状態は、制御部２１の制御のもと、各種機器に要求するデバイスメモリの読み出し又は書き込みに対する応答の有無に基づいて判別され、その判別結果に基づいて更新される。また、エリア及び周辺エリアは、リモコン１０が設置された場所とその周辺の場所を識別するための情報であり、この情報に基づいて、使用できなくなったリモコンの代替機器が選択される。例えば、図１に示したリモコン１０ｂが使用できなくなった場合、リモコン１０ｂの設置エリア（エリアＢ）または周辺エリア（エリアＡ）に基づいて、リモコン１０ｂの代替機器（エリアＡのリモコン１０ａ）が選択される。
【００４３】
マスタプログラム２２ｃは、リモコン１０毎（図１に示したリモコン１０ａ，１０ｂ）にポーリング通信を行い、使用できなくなったリモコン１０を特定するとともに、使用できなくなったリモコン１０の代替機器を設定するためのプログラムである。
【００４４】
制御部２１は、例えば、ＣＰＵ、ＣＰＵのメインメモリとして機能するＲＡＭ等を備える。なお、制御部２１は、一部がＡＳＩＣ等の専用回路から構成されてもよい。また、制御部２１は、設備制御装置２０全体を制御する。
【００４５】
また、制御部２１は、マスタプログラム２２ｃを実行することにより、機器判別部２１ａ、代替機器選択部２１ｂ、送信制御部２１ｃ、受信制御部２１ｄ、解除制御部２１ｅとして機能し、各部２１ａ〜２１ｅは、後述の各種処理を行う。
【００４６】
以上のように構成された設備制御システム１において、各リモコン１０は、大きく分けて、以下の３つの動作を行う。
（１Ａ）設備制御装置２０からの要求に従って、デバイスメモリ１２ａの読み出しまたは書込を行い、その応答をする処理（デバイスメモリ読出／書込応答）。
（１Ｂ）設備制御装置２０からの要求に従って、自機を代替機器として設定する処理（代替機器設定処理）。
（１Ｃ）代替機器の設定を解除する操作を受け付けて代替機器の設定を解除する処理（代替機器解除処理）。
【００４７】
また、設備制御装置２０は、大きく分けて、以下の３つの動作を行う。
（２Ａ）接続された各機器（図１に示したリモコン１０ａ，１０ｂ、空調機器Ａ１〜Ａ５、照明機器Ｌ１〜Ｌ４）との間でポーリング通信を行い、デバイスメモリ１２ａの読み出しまたは書き込みを順次要求する処理（デバイスメモリ読出／書込要求）。
（２Ｂ）使用できなくなったリモコン１０の代替機器を設定する処理（代替機器設定処理）。
（２Ｃ）代替機器として設定されたリモコン１０におけるユーザの操作に従って代替機器の設定を解除する処理（代替機器解除処理）。
【００４８】
リモコン１０及び設備制御装置２０が行うこれらの処理について、以下、図１０乃至図１４を参照して説明する。
【００４９】
リモコン１０の電源がオンになったとき、制御部１１は、記憶部１２に記憶されたスレーブログラム１２ｂを読み出して実行する。これにより、リモコン１０の制御部１１は、代替機器設定部１１ａ、特殊情報送信部１１ｂ、基本情報受信部１１ｃ、代替機器解除部１１ｄ、基本情報送信部１１ｅ、特殊情報受信部１１ｆとして機能し、各部１１ａ〜１１ｆは、電源がオフになるまで、以下の各種処理を繰り返し行う。これによりリモコン１０は、設備制御装置２０のスレーブ機器として機能する。
【００５０】
一方、設備制御装置２０の電源がオンになったとき、制御部２１は、記憶部２２に記憶されたマスタプログラム２２ｃを読み出して実行する、これにより、設備制御装置２０の制御部２１は、機器判別部２１ａ、代替機器選択部２１ｂ、送信制御部２１ｃ、受信制御部２１ｄ、解除制御部２１ｅとして機能し、各部２１ａ〜２１ｅは、電源がオフになるまで、以下の各種処理を繰り返し行う。これにより設備制御装置２０は、設備制御装置２０に接続されたリモコン１０を含む各種機器のマスタ装置として機能する。
【００５１】
図１０に示すように、設備制御装置２０の機器判別部２１ａは、記憶部２２に記憶されたデバイスメモリ群２２ａの各機器アドレスにより表されるそれぞれの機器にデバイスメモリの読み出しを順次要求し、各機器のデバイスメモリにおいてメモリデータが更新されていないか（メモリデータに含まれる値が変更されていないか）について問い合わせを行う。また、機器判別部２１ａは、各機器からの応答とともに受信したメモリデータに基づいてデバイスメモリ群２２ａの対応するメモリデータを更新する。また、機器判別部２１ａは、更新されたメモリデータの値に基づいて、対応する機器にデバイスメモリの書き込みを要求する。これにより、機器判別部２１ａは、上記（２Ａ）の処理を行い、その後はステップＳ２２に進む。
【００５２】
例えば、ユーザがリモコン１０の操作部１３を操作して空調機器Ａ１の電源をオンからオフに設定した場合、デバイスメモリ１２ａのメモリアドレス「ａ００２」に対応する値「１」は「０」に変更され、そのメモリデータ（メモリアドレス「ａ００２」，値「０」，参照メモリアドレス「Ａ１１１」からなるデータ）が更新される。更新されたメモリデータは、設備制御装置２０からの要求に従って、リモコン１０から設備制御装置２０に送信される（応答する）。
【００５３】
そして、設備制御装置２０の機器判別部２１ａは、リモコン１０から受信したメモリデータに基づいて、送信元であるリモコン１０に対応するデバイスメモリを更新するとともに、受信したメモリデータに含まれる参照メモリアドレス「Ａ１１１」を基に、デバイスメモリの書き込み要求先である空調機器Ａ１を特定する。機器判別部２１ａは、空調機器Ａ１に対してメモリデータ（メモリアドレス「Ａ１１１」，値「０」，参照メモリアドレス「ａ００２」からなるデータ）を送信し、デバイスメモリの書き込みを要求する。空調機器Ａ１は、設備制御装置２０から受信したメモリデータに基づいて、自機のデバイスメモリを更新し、設備制御装置２０に応答する。また、このとき、空調機器Ａ１は、受信したメモリデータに含まれるメモリアドレス「Ａ１１１」，値「０」を基に電源をオフにするための制御を行う。
【００５４】
一方、リモコン１０の代替機器設定部１１ａは、記憶部１２に記憶されたデバイスメモリ１２ａのうち、ユーザの操作に従って、前回の設備制御装置２０からの要求から更新されたメモリデータを、設備制御装置２０からのデバイスメモリ読み出し要求に従って設備制御装置２０に送信する。また、代替機器設定部１１ａは、設備制御装置２０からのデバイスメモリ書き込み要求に従って、デバイスメモリ１２ａを更新し、その後、更新が完了した旨を応答する。このように、代替機器設定部１１ａは、設備制御装置２０からの要求に従って、デバイスメモリの読み出しまたは書き込みを行う（ステップＳ１１）。これにより、代替機器設定部１１ａは、上記（１Ａ）の処理を行い、その後はステップＳ１２に進む。
【００５５】
設備制御装置２０の機器判別部２１ａは、デバイスメモリの読み出しまたは書き込みを要求したリモコン１０から応答がなかった場合（ステップＳ２２；ＹＥＳ）、そのリモコン１０を使用できなくなったリモコンとして特定する。例えば、図１０に示したリモコン１０ｂから応答がなかった場合、機器判別部２１ａは、リモコン１０ｂを使用できなくなったリモコンとして特定し、記憶部２２に記憶された接続機器情報２２ｂのリモコン１０ｂに対応する使用状態を「使用不可」に設定する。その後、代替機器選択部２１ｂは、上記（２Ｂ）に示した代替機器設定処理を行う（ステップＳ２３）。
【００５６】
一方、機器判別部２１ａは、リモコン１０から応答があった場合（ステップＳ２２；ＮＯ）、ステップＳ２４に進む。
【００５７】
ここで図１１を参照して、設備制御装置２０が行う代替機器設定処理を説明する。代替機器選択部２１ｂは、使用できなくなったリモコン１０ｂを特定した後、図９に示した接続機器情報２２ｂを参照して、リモコン１０ｂの設置エリアＢ又は周辺エリアＡを基に代替機器となるリモコンを特定する。ここでは、リモコン１０ｂの周辺エリアＡに設置されたリモコン１０ａが代替機器として特定される。代替機器選択部２１ｂは、特定したリモコン１０ａに代替機器の設定を要求する（ステップＳ２３ａ）。具体的には、代替機器選択部２１ｂは、代替機器として特定したリモコン１０ａに対応するデバイスメモリの、代替機器を設定又は解除するためのメモリアドレス「ａ０００」に対応する値「０」を「１」に変更してメモリデータを更新する。また、代替機器選択部２１ｂは、使用できなくなったリモコン１０ｂの機器アドレスを表すメモリアドレス「ａ００１」に対応する値を「Ｒ＊＊ｂ」としてメモリデータを更新する。そして、代替機器選択部２１ｂは、リモコン１０ａに対応するデバイスメモリを更新し、これらのメモリデータをリモコン１０ａに送信することにより、代替機器の設定を要求する。その後、代替機器選択部２１ｂは、リモコン１０ａからの応答を待機する（ステップＳ２３ｂ；ＮＯ）。
【００５８】
一方、図１０に戻り、リモコン１０ａの代替機器設定部１１ａは、ステップＳ１２において設備制御装置２０から代替機器の設定が要求された場合（ステップＳ１２；ＹＥＳ）、上記（１Ｂ）に示した代替機器設定処理を行う（ステップＳ１３）。
【００５９】
この場合、図１１に示すように、リモコン１０ａの代替機器設定部１１ａは、設備制御装置２０からの要求とともに受信した各メモリデータをデバイスメモリ１２ａに書き込み、設備制御装置２０に応答する（ステップＳ１３ａ）。その後、特殊情報送信部１１ｂは、設備制御装置２０からの要求を待機する（ステップＳ１３ｂ；ＮＯ）。
【００６０】
設備制御装置２０の代替機器選択部２１ｂは、代替機器の設定を要求したリモコン１０ａから応答があった場合（ステップＳ２３ｂ；ＹＥＳ）、リモコン１０ａに特殊情報を要求する（ステップＳ２３ｃ）。具体的には、代替機器選択部２１ｂは、リモコン１０ａに対応するデバイスメモリの、特殊情報に割り当てられたメモリアドレス（ａ１００〜ａ１４９）を指定し、指定したメモリアドレスに対応する特殊情報の送信（退避）を要求する。その後、受信制御部２１ｄは、特殊情報の受信を待機する（ステップＳ２３ｄ；ＮＯ）。
【００６１】
一方、リモコン１０の特殊情報送信部１１ｂは、設備制御装置２０から退避要求があった場合（ステップＳ１３ｂ；ＹＥＳ）、デバイスメモリ１２ａが有する特殊情報（メモリアドレス（ａ１００〜ａ１４９）に対応するメモリデータ）を設備制御装置２０に送信する（ステップＳ１３ｃ）。その後、基本情報受信部１１ｃは、基本情報の受信を待機する（ステップＳ１３ｄ；ＮＯ）。
【００６２】
設備制御装置２０の受信制御部２１ｄは、リモコン１０ａから特殊情報を受信した場合（ステップＳ２３ｄ；ＹＥＳ）、受信した特殊情報を記録する（ステップＳ２３ｅ）。具体的には、代替機器選択部２１ｂは、デバイスメモリ群２２ａのリモコン１０ａ（機器アドレス「Ｒ＊＊ａ」）に対応する特殊情報を、受信した特殊情報に更新することにより記録する。これにより、図１３（Ａ）に示すように、代替機器に選択されたリモコン１０ａの特殊情報が退避される。
【００６３】
その後、送信制御部２１ｃは、使用できなくなったリモコン１０ｂの基本情報をリモコン１０ａに送信する（ステップＳ２３ｆ）。具体的には、送信制御部２１ｃは、デバイスメモリ群２２ａから、使用できなくなったリモコン１０ｂに対応する基本情報を読み出し、リモコン１０ａに対応するデバイスメモリの特殊情報に割り当てられたメモリアドレス（ａ１００〜ａ１４９）を指定し、指定したメモリアドレス（ａ１００〜ａ１４９）と基本情報とを有する送信データをリモコン１０ａに送信する。つまり、送信制御部２１ｃは、代替機器のリモコン１０ａに、使用できなくなったリモコン１０ｂの基本情報の書き込みを要求する。その後、送信制御部２１ｃは、リモコン１０ａからの応答を待機する（ステップＳ２３ｇ；ＮＯ）。
【００６４】
一方、リモコン１０ａの基本情報受信部１１ｃは、設備制御装置２０から基本情報を受信した場合（ステップＳ１３ｄ；ＹＥＳ）、受信した基本情報を記録する（ステップＳ１３ｅ）。具体的には、基本情報受信部１１ｃは、設備制御装置２０から基本情報とともに受信したメモリアドレス（ａ１００〜ａ１４９）に、受信した基本情報を割り当てる。これにより、図１３（Ｂ）に示すように、リモコン１０ａにおいて、使用できなくなったリモコン１０ｂの基本情報が記録される。また、この場合、リモコン１０ｂの基本情報により表されるメモリアドレス（ｂ０００〜ｂ０＊＊）は、それぞれ代替アドレスとして、自機の第２の記憶領域を表すメモリアドレス（ａ１００〜ａ１４９）と対応付けられる。これにより、代替機器として設定されたリモコン１０ａは、設備制御装置２０からの、使用できなくなったリモコン１０ｂのメモリアドレス（ｂ０００〜ｂ０＊＊）に対応する情報（基本情報）の読み出しまたは書き込みの要求を受け付けることが可能となる。
【００６５】
また、基本情報受信部１１ｃは、例えば図３に示したように、リモコン１０ａの表示部１４の画面を変更し、画面上に備えられた操作部１３の位置においてユーザの操作を受け付ける。これにより、自機の操作対象機器（図１に示した空調機器Ａ１，Ａ２、照明機器Ｌ１，Ｌ２）だけでなく、使用できなくなったリモコン１０ｂの操作対象機器（図１に示す空調機器Ａ３，Ａ４、照明機器Ｌ３，Ｌ４）についても遠隔操作できるようになる。なお、代替機器として設定された場合、その設定前にリモコン１０ａの表示部１４に表示されていたリモコン１０ａの特殊情報に対応する画面は表示されなくなる。
【００６６】
その後、基本情報受信部１１ｃは、設備制御装置２０に応答し（ステップＳ１３ｅ）、リモコン１０ａの代替機器設定処理を終了する。
【００６７】
一方、設備制御装置２０の送信制御部２１ｃは、リモコン１０ａから応答があった場合（ステップＳ２３ｇ；ＹＥＳ）、設備制御装置２０の代替機器設定処理を終了する。
【００６８】
図１０に戻り、リモコン１０の代替機器解除部１１ｄは、ステップＳ１２において設備制御装置２０から代替機器の設定が要求されていない場合（ステップＳ１２；ＮＯ）、または、ステップＳ１３の代替機器設定処理が終了された後、ユーザから代替機器の設定を解除する操作がされたか否かを判別する（ステップＳ１４）。
【００６９】
代替機器の設定の解除は、例えば、図３に示したように、表示部１４の画面上の所定位置に表示される、代替機器の設定を解除する操作を受け付ける操作部１３をユーザが操作することにより行われる。
【００７０】
代替機器解除部１１ｄは、この操作がされた場合（ステップＳ１４；ＹＥＳ）、上記（１Ｃ）に示した代替機器解除処理を行う（ステップＳ１５）。一方、代替機器解除部１１ｄは、この操作がされていない場合（ステップＳ１４；ＮＯ）、ステップＳ１１に戻り、設備制御装置２０からの要求を待機する。
【００７１】
ここで図１２を参照して、代替機器として設定されたリモコン１０ａの代替機器解除処理を説明する。ユーザの操作に従って、代替機器解除部１１ｄは、デバイスメモリ１２ａの、代替機器を設定又は解除するためのメモリアドレス「ａ０００」に対応する値「１」を「０」に変更してメモリデータを更新する。その後、代替機器解除部１１ｄは、設備制御装置２０からのデバイスメモリの読み出しまたは書き込みの要求を待機し（ステップＳ１５ｂ；ＮＯ）、要求があった場合に（ステップＳ１５ｂ；ＹＥＳ）、更新されたメモリデータ（メモリアドレス「ａ０００」，値「０」を有するデータと、メモリアドレス「ａ００１」，値「Ｒ＊＊ｂ」を有するデータ）を設備制御装置２０に送信（応答）する（ステップＳ１５ｃ）。その後、基本情報送信部１１ｅは、設備制御装置２０からの基本情報の要求を待機する（ステップＳ１５ｄ；ＮＯ）。
【００７２】
一方、図１０に戻り、ステップＳ２２において、設備制御装置２０の解除制御部２１ｅは、デバイスメモリ１２ａの読み出しまたは書き込みを要求したリモコン１０から応答があった場合（ステップＳ２２；ＮＯ）、またはステップＳ２３の代替機器設定処理が終了された後、代替機器として設定されたリモコン１０ａにおいて、代替機器を設定又は解除するためのメモリアドレスに対応する値が「０」に更新されたか否か、つまり、代替機器として設定されたリモコン１０ａにおいて代替機器の設定を解除する操作がされたか否かを判別する（ステップＳ２４）。
【００７３】
解除制御部２１ｅは、代替機器として設定されたリモコン１０（ここではリモコン１０ａ）において、設定を解除する操作がされていない場合（ステップＳ２４；ＮＯ）、ステップＳ２１に戻り、他の機器を対象としてデバイスメモリの読み出しまたは書き込みを要求する。一方、解除制御部２１ｅは、代替機器として設定されたリモコン１０（ここではリモコン１０ａ）において、設定を解除する操作がされた場合（ステップＳ２４；ＹＥＳ）、上記（２Ｃ）に示した代替機器解除処理を行う（ステップＳ２５）。
【００７４】
この場合、図１２に示すように、解除制御部２１ｅは、代替機器であるリモコン１０ａから受信した情報（メモリアドレス「ａ０００」と値「０」、メモリアドレス「ａ００１」と「Ｒ＊＊ｂ」）に基づいて、デバイスメモリ群２２ａのリモコン１０ａに対応するデバイスメモリを更新する（ステップＳ２５ａ）。また、解除制御部２１ｅは、リモコン１０ａに対応するデバイスメモリのメモリアドレス（ａ１００〜ａ１４９）を指定し、指定したメモリアドレスに対応する、リモコン１０ｂの基本情報の送信を要求する。その後、受信制御部２１ｄは、リモコン１０ａからの基本情報の受信を待機する（ステップＳ２５ｃ；ＮＯ）。
【００７５】
一方、リモコン１０ａの基本情報送信部１１ｅは、設備制御装置２０からリモコン１０ｂの基本情報の要求があった場合（ステップＳ１５ｄ；ＹＥＳ）、デバイスメモリ１２ａの特殊情報に割り当てられたメモリアドレス（ａ１００〜ａ１４９）に対応する、リモコン１０ｂの基本情報（メモリデータ）を設備制御装置２０に送信（応答）する（ステップＳ１５ｅ）。その後、特殊情報受信部１１ｆは、設備制御装置２０からの特殊情報の受信を待機する（ステップＳ１５ｆ；ＮＯ）。
【００７６】
設備制御装置２０の受信制御部２１ｄは、リモコン１０ａから、リモコン１０ｂの基本情報を受信した場合（ステップＳ２５ｃ；ＹＥＳ）、受信した基本情報を記録する（ステップＳ２５ｄ）。具体的には、受信制御部２１ｄは、受信した基本情報により表される代替メモリアドレス（ｂ０００〜ｂ０＊＊）を基に、デバイスメモリ群２２ａのリモコン１０ｂ（機器アドレス「Ｒ＊＊ｂ」）に対応する基本情報を更新することにより記録する。これにより、図１４（Ａ）に示すように、リモコン１０ａに記録された、代替機器の設定が解除されるときのリモコン１０ｂの基本情報が設備制御装置２０に記録される。
【００７７】
その後、送信制御部２１ｃは、デバイスメモリ群２２ａに含まれる、代替機器の設定が解除されるリモコン１０ａの特殊情報（メモリアドレス（ａ１００〜ａ１４９）に対応する情報）を読み出し、これをリモコン１０ａに送信してリモコン１０ａに特殊情報の書き込みを要求する（ステップＳ２５ｅ）。その後、送信制御部２１ｃは、リモコン１０ａからの応答を待機する（ステップＳ２５ｆ；ＮＯ）。
【００７８】
一方、リモコン１０ａの特殊情報受信部１１ｆは、設備制御装置２０から特殊情報を受信した場合（ステップＳ１５ｆ；ＹＥＳ）、受信した特殊情報を記録する（ステップＳ１５ｅ）。特殊情報受信部１１ｆは、特殊情報に割り当てられたメモリアドレス（ａ１００〜ａ１４９）に記録する（ステップＳ１５ｅ）。これにより、図１４（Ｂ）に示すように、リモコン１０ａが代替機器として設定される前に記録されていた特殊情報が記録される（復元される）。また、これにより、リモコン１０ａは、リモコン１０ｂの操作対象機器（図１に示した空調機器Ａ３，Ａ４、照明機器Ｌ３，Ｌ４）の動作設定が受け付けられなくなる。
【００７９】
また、特殊情報受信部１１ｆは、例えば図２に示したように、リモコン１０ａの表示部１４の画面を変更し、画面上に備えられた操作部１３の位置においてユーザの操作を受け付ける。これにより、自機の操作対象機器（図１に示した空調機器Ａ１，Ａ２、照明機器Ｌ１，Ｌ２）についてのみ遠隔操作できるようになる。なお、代替機器の設定が解除された場合、リモコン１０ａの表示部１４に表示されていた、リモコン１０ｂの基本情報に対応する画面は表示されなくなり、代わりに、リモコン１０ａの特殊情報に対応する画面が表示される。
【００８０】
その後、特殊情報受信部１１ｆは、設備制御装置２０に応答し（ステップＳ１５ｇ）、リモコン１０ａの代替機器解除処理を終了する。
【００８１】
一方、設備制御装置２０の送信制御部２１ｃは、リモコン１０ａから応答があった場合（ステップＳ２５ｆ；ＹＥＳ）、設備制御装置２０の代替機器解除処理を終了する。
【００８２】
図１０に戻り、リモコン１０の特殊情報受信部１１ｆは、代替機器解除処理が終了された後、ステップＳ１１に戻り設備制御装置２０からの要求を待機する。一方、設備制御装置２０の送信制御部２１ｃは、代替機器解除処理が終了された後、ステップＳ２１に戻り、上記と同様の処理を行う。
【００８３】
なお、代替機器解除処理が終了された後、設備制御装置２０の機器判別部２１ａは、ステップＳ１１において、使用できなくなったリモコン１０ｂのデバイスメモリの読み出し又は書き込み（ポーリング通信）を一定時間だけ中止する。設備制御装置２０は、一定時間経過後、リモコン１０ｂへのポーリング通信を試み、その結果、リモコン１０ｂから応答があった場合に、記憶部２２に記憶された接続機器情報２２ｂのリモコン１０ｂに対応する使用状態を「使用可」に設定する。さらに、この場合、代替機器設定部１１ａは、図１４（Ｃ）に示すように、デバイスメモリ群２２ａの使用できるようになったリモコン１０ｂに対応する基本情報及び特殊情報をリモコン１０ｂに送信する。これにより、使用できるようになったリモコン１０ｂに、設備制御装置２０に記録された情報を同期させることができる。
【００８４】
以上、本実施形態に係る設備制御システム１は、設備制御装置２０が、使用できなくなったリモコン１０ｂの代替機器を設定し、代替機器として設定されたリモコン１０ａに、使用できなくなったリモコン１０ｂに対応する基本的な操作を行うための基本情報を送信することができる。これにより、代替機器として設定されたリモコン１０ａによって、使用できなくなったリモコン１０ｂで制御されていた各機器（空調機器Ａ３，Ａ４、照明機器Ｌ３，Ｌ４）を適切かつ個別に制御できる。
【００８５】
また、設備制御装置２０は、代替機器の設定時に、リモコン１０の所定領域（第２の記憶領域）に記録されている、リモコン１０において使用頻度が比較的少ない（必要性の低い）、機能制限されても通常操作に支障が生じない特殊情報を、代替機器として設定されるリモコン１０ａから退避させ、その空いた領域に、使用できなくなったリモコン１０ｂの基本情報を記録させることができる。これにより、リモコン１０ａの限られた記憶領域を有効に活用できる。また、代替設定時には、必要不可欠な情報（基本情報）のみに対応する画面がリモコン１０ａの表示部１４に表示され、特殊情報に対応する画面は表示されない。そのため、代替設定によって大幅に操作対象機器が増えても、各機器について操作がし易い。
【００８６】
また、リモコン１０の表示部１４に表示される操作画面の態様は適宜に設定できる。例えば、上記実施形態で説明したように、リモコン１０ａ，１０ｂにそれぞれ対応する操作画面を１画面に集約して表示しても良いし、これらの操作画面を２画面に分けて表示しても良い。２画面に分けて表示する場合には、リモコン１０ａに対応する操作画面と、リモコン１０ｂに対応する操作画面とは、ユーザの操作に従って切り替えられる。
【００８７】
また、１つのリモコン１０に、使用できなくなった複数のリモコン１０の基本情報を送信しても良く、１つのリモコン１０を、複数のリモコン１０の代替機器として設定しても良い。
【００８８】
一方、設備制御装置２０は、使用できなくなったリモコン１０の基本情報だけでなく、特殊情報も、代替機器として設定されるリモコン１０ａに送信しても良い。
【００８９】
また、設備制御装置２０は、代替機器となるリモコン１０ａから特殊情報（特殊情報）を退避させなくても良く、使用できなくなったリモコン１０の基本情報及び特殊情報の少なくとも何れかをリモコン１０ａに送信しても良い。
【００９０】
なお、設備制御装置２０は、リモコン１０を利用するユーザの意志表示に基づいて、代替機器となるリモコン１０ａを設定しても良い。例えば、設備制御装置２０の代替機器選択部２１ｂは、使用できなくなったリモコン１０ｂを特定した場合に、設備制御装置２０に接続された全てのリモコン１０に代替機器の設定を要求し、最も先に応答したリモコン１０を代替機器として設定しても良い。この場合、各リモコン１０の表示部１４の画面には、図１５に示すように、自機を代替機器として設定するためのボタン（操作部１３）が表示され、このボタンの操作が最初に行われたリモコン１０が代替機器として設定される。また、代替機器となるリモコン１０は、予め設定されていても良く、予め設定されたリモコン１０と通信が正常に行われた場合に、そのリモコン１０を代替機器として設定しても良い。
【００９１】
また、上記実施形態では、設備制御装置２０をマスタ装置、設備制御装置２０に接続された各機器をスレーブ機器とし、ポーリング通信を行う例を説明したが、その他の通信方式を採用しても良い。
【００９２】
その他、これまでの説明で、操作対象機器として空調機器及び照明機器を例に挙げて説明したが、これらの何れか一方を操作対象機器としても良い。また、操作対象機器として、例えば、複合機やＰＣ（パーソナルコンピュータ）などの各種ＯＡ機器や電化製品等を採用しても良い。
【００９３】
また、本発明に係るリモコン１０及び設備制御装置２０は、通常のコンピュータにより実現できる。また、上記実施形態で説明した動作を実行するためのプログラムをコンピュータにインストールし、このプログラムをコンピュータが実行することにより、それぞれに対応するリモコン１０及び設備制御装置２０として構成しても良い。また、プログラムは、持ち運び可能な記録媒体等に記録されたものでもよい。持ち運び可能な記録媒体には、例えば、ＣＤ−ＲＯＭ、ＤＶＤ−ＲＯＭ、ＢＤ−ＲＯＭ、ＭＯ等がある。また、プログラムは、持ち運び可能な記録媒体から各種読取装置を介して、リモコン１０及び設備制御装置２０にそれぞれインストールされても良い。
【００９４】
また、コンピュータにプログラムを提供する方法は任意である。例えば、プログラムは、通信回線の掲示板（ＢＢＳ）にアップロードされ、通信回線を介してコンピュータに配信されてもよい。また、プログラムは、プログラムを表す信号により搬送波を変調した変調波により伝送され、この変調波を受信した装置が変調波を復調してプログラムを復元するようにしてもよい。そして、コンピュータは、このプログラムを起動して、ＯＳの制御のもと、他のアプリケーションと同様に実行する。これにより、コンピュータは、上記動作を実行するリモコン１０及び設備制御装置２０として機能する。
【００９５】
その他、本発明は、上記実施形態の説明及び図面によって限定されるものではなく、上記実施形態及び図面に適宜変更等を加えることは可能である。
【符号の説明】
【００９６】
１  設備制御システム、１０，１０ａ，１０ｂ  リモコン（操作機器）、１１  制御部、１１ａ  代替機器設定部、１１ｂ  特殊情報送信部、１１ｃ  基本情報受信部、１１ｄ  代替機器解除部、１１ｅ  基本情報送信部、１１ｆ  特殊情報受信部、１２  記憶部、１２ａ  デバイスメモリ、１２ｂ  スレーブプログラム、１３  操作部、１４  表示部、１５  通信部、２０  設備制御装置、２１  制御部、２１ａ  機器判別部、２１ｂ  代替機器選択部、２１ｃ  送信制御部、２１ｄ  受信制御部、２１ｅ  解除制御部、２２  記憶部、２２ａ  デバイスメモリ群、２２ｂ  接続機器情報、２２ｃ  マスタプログラム、２３  通信部、Ｌ１，Ｌ２，Ｌ３，Ｌ４  照明機器、Ａ１，Ａ２，Ａ３，Ａ４，Ａ５  空調機器、ＡＮ  空調ネットワーク、ＬＮ  照明ネットワーク、ＣＮ  管理ネットワーク、Ｃ  集中管理装置、Ｄ  ダクト
【図１】
2014155115.tif 000003
【図２】
2014155115.tif 000004
【図３】
2014155115.tif 000005
【図４】
2014155115.tif 000006
【図５】
2014155115.tif 000007
【図６】
2014155115.tif 000008
【図７】
2014155115.tif 000009
【図８】
2014155115.tif 000010
【図９】
2014155115.tif 000011
【図１０】
2014155115.tif 000012
【図１１】
2014155115.tif 000013
【図１２】
2014155115.tif 000014
【図１３】
2014155115.tif 000015
【図１４】
2014155115.tif 000016
【図１５】
2014155115.tif 000017